(57)【要約】【課題】指針を効率良く照明することが可能な指針式計器装置を提供する。【解決方法】回転中心部１２に設けた受光部１４より光供給を受けて発光する指針１と、この指針１を駆動する指針軸３７をハウジング３８から前方側に突出してなる駆動装置３と、この駆動装置３の後方側に配置される回路基板４と、この回路基板４の前方側に配置され少なくとも指針１に照明光を供給する光源５と、を備え、駆動装置３は、ハウジング３８の指針軸３７周りに受光部１４の回転軌道に応じた円弧状のハウジング部３８０を有し、光源５は、ハウジング部３８０の円弧形状に沿って回路基板４上に複数配置されてなる指針式計器装置において、ハウジング部３８０は、指針１に対面する第１の壁部３８１と光源５に隣接する第２の壁部３８２とを有し、これら第１の壁部３８１と第２の壁部３８２との間に傾斜部３８３を設けた。【選択図】図２
2009204472.tif 000002
【特許請求の範囲】
【請求項１】
回転中心部に設けた受光部より光供給を受けて発光する指針と、
この指針を駆動する指針軸をハウジングから前方側に突出してなる駆動装置と、
この駆動装置の後方側に配置される回路基板と、
この回路基板の前方側に配置され少なくとも前記指針に照明光を供給する光源と、を備え、
前記駆動装置は、前記ハウジングの前記指針軸周りに前記受光部の回転軌道に応じた円弧状のハウジング部を有し、前記光源は、前記ハウジング部の前記円弧形状に沿って前記回路基板上に複数配置されてなる指針式計器装置において、前記ハウジング部は、前記指針に対面する第１の壁部と前記光源に隣接する第２の壁部とを有し、これら第１の壁部と第２の壁部との間に傾斜部を設けたことを特徴とする指針式計器装置。
【発明の詳細な説明】
【技術分野】
【０００１】
本発明は、例えば車両等の計器装置に搭載される、駆動装置を用いた指針式計器装置に関するものである。
【背景技術】
【０００２】
従来からこの種の指針式計器装置に用いられる駆動装置として、例えば下記特許文献１に記載のコイル式の可動磁石式計器が一般的に知られている。この可動磁石式計器はハウジングに形成した空間内にＮとＳの２極着磁されたロータ磁石と、このロータ磁石を収納すると共にこのロータ磁石に固定した指針軸を前方側に突出するように軸支するハウジングとを有し、このハウジングの外周には一対のコイルを互いに交差するように巻装され、通電によりロータ磁石に回転力を与え軸周り回転させるもので、各コイルへの駆動信号供給を車速やエンジン回転等の被測定量に応じて制御することで、指針を計測量に応じて角度運動させるものである。
【０００３】
このように構成される駆動装置は、コイルに駆動信号を供給するための回路基板をその後方側に設け、またその前方側には指針軸を貫通させるための軸穴を設けた表示板が配置され、この指針軸の先端に導光材からなる指針が装着される。指針は、光供給を受けて発光する受光式タイプの場合、回路基板上の駆動装置周囲に光源を配置し、この光源によって指針を照明するものである。この場合、指針は透光性材料により形成され、光源からの光を受光する受光部が形成され、一方、駆動装置のハウジングは、指針軸周りに受光部の回転軌道に応じた円弧状のハウジング部が形成され、光源は、指針の受光部に照明光を供給できるように、ハウジング部の円弧形状に沿って回路基板上に複数配置される。
【特許文献１】特開２００１−４１９８１
【発明の開示】
【発明が解決しようとする課題】
【０００４】
しかしながら、特許文献１記載の指針式計器装置では、駆動装置のハウジング部が指針に対面する第１の壁部と、回路基板上に位置する各光源に隣接する第２の壁部とを有した、側面視（指針軸とは直交する方向から見たとき）が矩形状であり、照明光がハウジングの壁部にて反射されるのを防ぐために、光源を駆動装置から少し離して配置せざるを得ず、光源が搭載される場所が限られ、設計の自由度が低減してしまうという問題があった。
【０００５】
また、指針照明用の光源を指針より離れた位置に配置しなければならないために、指針軸を中心に指針の回動軌道に沿って同心円上に配設される光源の配設径を大きく確保する必要があり、デットスペースが大きくなってしまうため、設計の自由度が低減してしまうという問題があった。
【０００６】
本発明は、この様な点に鑑みなされたもので、光源を増やすことなく、指針を効率良く照明することができ、更に設計の自由度を向上させることが可能な指針式計器装置を提供することを目的とする。
【課題を解決するための手段】
【０００７】
本発明は、前記課題を解決するため、回転中心部に設けた受光部より光供給を受けて発光する指針と、この指針を駆動する指針軸をハウジングから前方側に突出してなる駆動装置と、この駆動装置の後方側に配置される回路基板と、この回路基板の前方側に配置され少なくとも前記指針に照明光を供給する光源と、を備え、前記駆動装置は、前記ハウジングの前記指針軸周りに前記受光部の回転軌道に応じた円弧状のハウジング部を有し、前記光源は、前記ハウジング部の前記円弧形状に沿って前記回路基板上に複数配置されてなる指針式計器装置において、前記ハウジング部は、前記指針に対面する第１の壁部と前記光源に隣接する第２の壁部とを有し、これら第１の壁部と第２の壁部との間に傾斜部を設けたものである。
【発明の効果】
【０００８】
本発明によれば、指針を効率良く照明することが可能な指針式計器装置を得ることができる。
【発明を実施するための最良の形態】
【０００９】
以下、本発明の実施形態を、コイル式可動磁石計器を適用した指針式計器装置に基づいて説明する。図１は、本発明の一実施形態による駆動装置の正面図を示すものである。図２は本発明の一実施形態による指針式計器装置の断面図（指針キャップと、指針本体と、表示板のハッチングは省略）である。図３は本発明の一実施形態による駆動装置の上ケースを外した状態の上面図である。図４は本発明の一実施形態による駆動装置の断面図である。
【００１０】
図１及び図２において、本実施形態の指針式計器装置は、指針１と、この指針１の背後に配置される表示板２と、表示板２上の指針１を測量値に基づいて駆動する駆動装置３と、この駆動装置３の後方に配置される回路基板４と、この回路基板４上に配置される光源５とを備えている。
【００１１】
指針１は、ポリカーボネートやアクリル樹脂等の透光性合成樹脂からなる指針本体１１と、この指針本体１１の回転中心部１２を覆う指針キャップ１３とからなる。
【００１２】
指針本体１１は、後述する指標部（図示せず）を指示するものであり、その背面または表面に図示しない赤色のホットスタンプ層が印刷されている。回転中心部１２には照明光を導入する受光部１４と、この受光部１４から導入された照明光を指針１側に反射する反射部１５とが形成され、回転中心部１２への光供給により指針１が光輝するようになっている。
【００１３】
表示板２は、透明部材からなる基材に各種印刷を施したものであり、指針１に対応する目盛やマークなどの指標部（図示せず）を有してなり、指針１の回転中心部１２に対応した位置及び光源５の照明光の配向に対応した箇所に開口部２１を備えている。
【００１４】
駆動装置３は、多極着磁されたロータ磁石３１と、ロータ磁石３１に固定されたロータ歯車３２と、ロータ歯車３２と噛み合う第１の歯車３２ａと、この第１の歯車３２ａと同軸上に設けられた第２の歯車３２ｂとを有する中間歯車３３と、中間歯車３３の第２の歯車３２ｂと噛み合う出力歯車３４と、回転磁界を発生してロータ磁石３１に回転力を与える２つの励磁コイル３５と、ロータ磁石３１の回転中心となる金属製の第１の回転軸３６ａと、中間歯車３３の回転中心となる金属製の第２の回転軸３６ｂと、出力歯車３４の回転中心となる金属製の出力軸３７と、これらが収納されるハウジング３８とから主に構成されている。
【００１５】
ロータ磁石３１は、例えばプラスチックマグネットなどの磁性を有する合成樹脂からなり、その形状は円形で、中心にロータ歯車３２と第１の回転軸３６ａが貫通する貫通孔３１a を備えている。本実施形態の場合、ロータ磁石３１は、その回転軸を中心に放射方向に均等となるようにＮ極とＳ極がそれぞれ２極ずつの計４つの磁極を備えている。
【００１６】
ロータ歯車３２は、磁性を備えない合成樹脂からなり、その外周に適宜数の連続歯が形成された歯車がロータ磁石３１の回転に伴って回転すると共に、第１の回転軸３６ａがロータ歯車３２を貫通している。
【００１７】
中間歯車３３は、磁性を備えない合成樹脂からなり、ロータ歯車３２と噛み合う第１の歯車３２ａと、出力歯車と噛み合う第２の歯車３２ｂとからなる。第１の歯車３２ａはロータ歯車３２よりも径大で且つ外周にロータ歯車３２よりも多くの連続歯を有し、第２の回転軸３６ｂに固定されている。第２の歯車３２ｂは、第２の回転軸３６ｂが貫通する貫通孔に設けられ、その連続歯はロータ歯車３２よりも少なく形成されている。
【００１８】
出力歯車３４は、磁性を備えない合成樹脂からなり、中間歯車３３の第２の歯車３２ｂと噛み合うとともに、回転中心となる出力軸３７が設けられている。
【００１９】
励磁コイル３５は、銅などの導電性を有する金属線を、断面形状が長方形の貫通穴を備えた筒体の合成樹脂からなるボビン３５ａに巻き付けて形成したものであり、ボビン３５ａに設けられた端子３５ｂを介して制御手段に接続されている。
【００２０】
ハウジング３８は合成樹脂からなり、図４中に示すように、上側に位置する第１の枠体３９ａと下側に位置する第２の枠体３９ｂから形成され、これら第１，第２の枠体３９ａ、３９ｂ間で駆動内機を収納する収納部Ｓとなる空間を形成すると共に第１、第２の回転軸３６ａ、３６ｂ及び出力軸３７を軸支し、出力軸３７の一部はハウジング３８の外部に突出している。
【００２１】
また、第２の枠体３９ｂには、出力歯車３４に設けられた第１の突起部３９１と当接する箇所に第２の突起部３９２が一体に設けられ、この当接部分によって出力歯車３４の回転を所定の位置で止めるものである。
【００２２】
また、ハウジング３８の出力軸周りには、受光部１４の回転軌道に応じた円弧状のハウジング部３８０が形成されている。このハウジング部３８０は、内部に出力歯車３４を収納するもので、駆動装置３を指針軸３７の上方向から観察した際（軸方向視）に、全体形状が円弧状の部分を構成するもので、指針１に対面する第１の壁部３８１（この場合、第１の枠体３９ａに形成される）と、光源５に隣接する第２の壁部３８２（この場合、第２の枠体３９ｂに形成される）と、これら第１の壁部３８１と第２の壁部３８２との間に形成された傾斜部３８３（この場合、第１の枠体３９ａに形成される）とを有している。
【００２３】
図２及び図４中において、傾斜部３８３は、光源５から受光部１４へと向かう照明光を遮らないように、ハウジング部３８０の角部を斜めにカットしたような形状、すなわち、指針軸３７を中心として直線状の斜面を回転させたような円錐形状となるように形成されている。
【００２４】
回路基板４は、周知な硬質の回路基板であり、駆動装置３や光源５を駆動制御する制御手段（図示せず）を搭載し、駆動装置３の後方に配置される。
【００２５】
光源５は、ＬＥＤなどの発光素子からなり、指針用光源５１と、表示板用光源（図示せず）とがある。指針用光源５１は、その照明光が回転中心部１２に設けられた受光部１４から入射し、同じく回転中心部１２に設けられた反射部１５によって指針本体１１側へ反射されるように、受光部１４の軌道範囲に沿って配置される。
【００２６】
この様に、本実施形態では、回転中心部１２に設けた受光部１４より光供給を受けて発光する指針１と、この指針１を駆動する指針軸３７をハウジング３８から前方側に突出してなる駆動装置３と、この駆動装置３の後方側に配置される回路基板４と、この回路基板４の前方側に配置され少なくとも指針１に照明光を供給する光源５と、を備え、駆動装置３は、ハウジング３８の指針軸３７周りに受光部１４の回転軌道に応じた円弧状のハウジング部３８０を有し、光源５は、ハウジング部３８０の円弧形状に沿って回路基板４上に複数配置されてなる指針式計器装置において、ハウジング部３８０は、指針１に対面する第１の壁部３８１と光源５に隣接する第２の壁部３８２とを有し、これら第１の壁部３８１と第２の壁部３８２との間に傾斜部３８３を設けたことによって、駆動装置３のハウジング３８にて遮られる照明光を減少させることができるため、受光部１４で光源５の照明光を受光しやすくし、指針１を効率よく照明することが可能となる。
【００２７】
また、光源５を配設する配設径を小さくすることができ、指針１の受光部１４及び指針キャップ１３の小型化も可能となる。
【図面の簡単な説明】
【００２８】
【図１】本発明の一実施形態による駆動装置の正面図。
【図２】本発明の一実施形態による指針式計器装置の断面図。
【図３】本発明の一実施形態による駆動装置の上ケースを外した状態の上面図。
【図４】本発明の一実施形態による駆動装置の断面図。
【符号の説明】
【００２９】
１      指針
２      表示板
３      駆動装置
４      回路基板
５      光源
６      ケース体
１１    指針本体
１２    回転中心部
１３    指針キャップ
１４    受光部
１５    反射部
２１    開口部
３１    ロータ磁石
３１ａ  貫通孔
３２    ロータ歯車
３２ａ  第１の歯車
３２ｂ  第２の歯車
３３    中間歯車
３４    出力歯車
３５    励磁コイル
３５ａ  ボビン
３５ｂ  端子
３６ａ  第１の回転軸
３６ｂ  第２の回転軸
３７    出力軸（指針軸）
３８    ハウジング
３９ａ  第１の枠体
３９ｂ  第２の枠体
５１    指針用光源
３８０  ハウジング部
３８１  第１の壁部
３８２  第２の壁部
３８３  傾斜部
３９１  第１の突起部
３９２  第２の突起部
Ｓ      収納部
【図１】
2009204472.tif 000003
【図２】
2009204472.tif 000004
【図３】
2009204472.tif 000005
【図４】
2009204472.tif 000006